(57)【要約】【課題】一体化された機械台を有効に利用し、その一部である釣合おもり側ピアノ線を基点にして、かご側緩衝器台を速やかに芯出しできるようにしたエレベータピット部分の芯出し据付装置及びその芯出し据付工法を得る。【解決手段】昇降路ピット上面に固定された機械台と、この機械台と一体化された釣合おもり側緩衝器台と、昇降路ピット上面に固定され機械台に対して位置調整が可能に構成されたかご側緩衝器台と、釣合おもり側緩衝器台上面の両側に立設された一対の釣合おもり側ガイドレールと、機械台上面とかご側緩衝器台上面に立設された一対のかご側ガイドレールと、機械台上面に固定され、釣合おもり側ガイドレール用ピアノ線の下端部を連結する釣合おもり側スプリングハンガーと、機械台上面とかご側緩衝器台上面に跨って固定され、かご側ガイドレール用ピアノ線の下端部を連結するかご側スプリングハンガーとを備える。【選択図】  図１
2004352410.tif 000002
【特許請求の範囲】
【請求項１】
昇降路上部から垂下させたピアノ線の下端に錘りを付け、このピアノ線の通過位置を記憶させ、昇降路ピット上面に固定される釣合おもり側緩衝器台及びかご側緩衝器台の所定位置に錘りを外した前記ピアノ線の下端を張力付加材を介して連結し、前記緩衝器台を移動調整させることにより、エレベータピット部分の芯出し据付作業を行うようにしたものにおいて、昇降路ピット上面に固定された機械台と、この機械台と一体化された釣合おもり側緩衝器台と、昇降路ピット上面に固定され前記機械台に対して位置調整が可能に構成されたかご側緩衝器台と、前記釣合おもり側緩衝器台上面の両側に立設された一対の釣合おもり側ガイドレールと、前記機械台上面と前記かご側緩衝器台上面に立設された一対のかご側ガイドレールと、前記機械台上面に固定され、釣合おもり側ガイドレール用ピアノ線の下端部を連結する釣合おもり側スプリングハンガーと、前記機械台上面とかご側緩衝器台上面に跨って固定され、かご側ガイドレール用ピアノ線の下端部を連結するかご側スプリングハンガーとを備えたことを特徴とするエレベータピット部分の芯出し据付装置。
【請求項２】
機械台とかご側緩衝器台の突き合わせ結合部は、互いに嵌合する凹凸部を有し、締結具により位置調整が可能に構成されていることを特徴とする請求項１記載のエレベータピット部分の芯出し据付装置。
【請求項３】
機械台には、少なくとも一対の釣合おもり側ガイドレール及び一方のかご側ガイドレールの自重からなる下方向の力が加わるように構成したことを特徴とする請求項１又は請求項２記載のエレベータピット部分の芯出し据付装置。
【請求項４】
昇降路上部から垂下させたピアノ線の下端に錘りを付け、このピアノ線の通過位置を記憶させ、昇降路ピット上面に固定される釣合おもり側緩衝器台及びかご側緩衝器台の所定位置に錘りを外した前記ピアノ線の下端を張力付加材を介して連結し、前記緩衝器台を移動調整させることにより、エレベータピット部分の芯出し据付作業を行うようにしたものにおいて、昇降路ピット上面に固定された機械台と、この機械台と一体化された釣合おもり側緩衝器台と、昇降路ピット上面に固定され前記機械台に対して位置調整が可能に構成されたかご側緩衝器台と、前記釣合おもり側緩衝器台上面の両側に立設された一対の釣合おもり側ガイドレールと、前記機械台上面と前記かご側緩衝器台上面に立設された一対のかご側ガイドレールとを備え、前記機械台とこれと一体の釣合おもり側緩衝器台を移動調整しながら、釣合おもり側ガイドレール用ピアノ線を記憶位置に合わせた後、ピット上面に前記機械台と前記釣合おもり側緩衝器台を固定し、次に前記かご側緩衝器台を前記機械台に対して移動調整しながら、かご側ガイドレール用ピアノ線を記憶位置に合わせて仮固定し、さらに前記一対の釣合おもり側ガイドレール用ピアノ線のうちの一方を基準とし、この基準点と前記一対のかご側ガイドレール用ピアノ線のそれぞれとの間の間隔寸法を確認してから前記かご側緩衝器台を本固定することを特徴とするエレベータピット部分の芯出し据付工法。
【請求項５】
機械台と一体化された釣合おもり側緩衝器台を芯出しする釣合おもり側ガイドレール用ピアノ線の一方を基準として、かご側緩衝器台を芯出しするために、前記釣合おもり側ガイドレール用ピアノ線を頂点とし、かご側ガイドレール用ピアノ線の間を底辺とする三角形の寸法の二辺を確認することを特徴とする請求項４記載のエレベータピット部分の芯出し据付工法。
【発明の詳細な説明】
【０００１】
【発明の属する技術分野】
この発明はエレベータピット部分の芯出し据付装置及びその芯出し据付工法に関するものである。
【０００２】
【従来の技術】
従来のエレベータピット部分の芯出し据付工法においては、かご側ピアノ線を基にして、釣合おもり側ピアノ線を決めてからかご側緩衝器台と釣合おもり側緩衝器台の位置決めを行っていた（例えば、特許文献１参照）。
【０００３】
【特許文献１】
特許第２６９２５２５号公報
【０００４】
【発明が解決しようとする課題】
最近多く採用されている機械室レスエレベータシステムにおいては巻上機がピットに設置されるため、浮き上がりを防ぐ必要があり、機械台に荷重を集中させなければならず、従来のエレベータピット部分の芯出し据付工法をそのまま機械室レスエレベータに対応させることはできなかった。
【０００５】
この発明は、上述のような課題を解決するためになされたもので、その目的は、一体化された機械台を有効に利用し、その一部である釣合おもり側ピアノ線を基点にして、かご側緩衝器台を速やかに芯出しできるようにしたエレベータピット部分の芯出し据付装置及びその芯出し据付工法を提供するものである。
【０００６】
【課題を解決するための手段】
この発明に係るエレベータピット部分の芯出し据付装置は、昇降路上部から垂下させたピアノ線の下端に錘りを付け、このピアノ線の通過位置を記憶させ、昇降路ピット上面に固定される釣合おもり側緩衝器台及びかご側緩衝器台の所定位置に錘りを外したピアノ線の下端を張力付加材を介して連結し、緩衝器台を移動調整させることにより、エレベータピット部分の芯出し据付作業を行うようにしたものにおいて、昇降路ピット上面に固定された機械台と、この機械台と一体化された釣合おもり側緩衝器台と、昇降路ピット上面に固定され機械台に対して位置調整が可能に構成されたかご側緩衝器台と、釣合おもり側緩衝器台上面の両側に立設された一対の釣合おもり側ガイドレールと、機械台上面とかご側緩衝器台上面に立設された一対のかご側ガイドレールと、機械台上面に固定され、釣合おもり側ガイドレール用ピアノ線の下端部を連結する釣合おもり側スプリングハンガーと、機械台上面とかご側緩衝器台上面に跨って固定され、かご側ガイドレール用ピアノ線の下端部を連結するかご側スプリングハンガーとを備えたものである。
【０００７】
この発明に係るエレベータピット部分の芯出し据付工法は、昇降路上部から垂下させたピアノ線の下端に錘りを付け、このピアノ線の通過位置を記憶させ、昇降路ピット上面に固定される釣合おもり側緩衝器台及びかご側緩衝器台の所定位置に錘りを外したピアノ線の下端を張力付加材を介して連結し、緩衝器台を移動調整させることにより、エレベータピット部分の芯出し据付作業を行うようにしたものにおいて、昇降路ピット上面に固定された機械台と、この機械台と一体化された釣合おもり側緩衝器台と、昇降路ピット上面に固定され機械台に対して位置調整が可能に構成されたかご側緩衝器台と、釣合おもり側緩衝器台上面の両側に立設された一対の釣合おもり側ガイドレールと、機械台上面とかご側緩衝器台上面に立設された一対のかご側ガイドレールとを備え、機械台とこれと一体の釣合おもり側緩衝器台を移動調整しながら、釣合おもり側ガイドレール用ピアノ線を記憶位置に合わせた後、ピット上面に機械台と釣合おもり側緩衝器台を固定し、次にかご側緩衝器台を機械台に対して移動調整しながら、かご側ガイドレール用ピアノ線を記憶位置に合わせて仮固定し、さらに一対の釣合おもり側ガイドレール用ピアノ線のうちの一方を基準とし、この基準点と一対のかご側ガイドレール用ピアノ線のそれぞれとの間の間隔寸法を確認してからかご側緩衝器台を本固定するものである。
【０００８】
【発明の実施の形態】
実施の形態１．
図１はこの発明の実施の形態１におけるエレベータピット部分の芯出し据付装置を示す斜視図、図２はこの発明の実施の形態１におけるエレベータピット部分の芯出し据付工法を説明するための斜視図である。
図１において、エレベータの昇降路のピット１上面には、床に固定されたアンカーボルト（図示せず）により機械台２が固定されている。この機械台２と一体化製作された釣合おもり側緩衝器台３がピット１上面に設けられている。この釣合おもり側緩衝器３の両端部上面には一対の釣合おもり側ガイドレール４、５が立設されており、このガイドレール４、５間において釣合おもり（図示せず）が昇降案内される。一対の釣合おもり側ガイドレール４、５と平行となるように釣合おもり側ガイドレール用ピアノ線６が昇降路上部の上部型板装置（図示せず）から垂下される。上記釣合おもり側ガイドレール４、５間に位置する上記機械台２の上面には水平部両端をボルト７で固定された釣合おもり側スプリングハンガー８が設けられている。このスプリングハンガー８の両端垂直部にはピアノ線連結孔８ａが形成されており、このピアノ線連結孔８ａに上記釣合おもり側ガイドレール用ピアノ線６の下端部が張力付加材としてのコイルばね９を介して連結される。昇降路ピット１上面にはかご側緩衝器台１０が固定され、上記機械台２のかご側端部上面と上記かご側緩衝器台１０の反釣合おもり側端部上面に一対のかご側ガイドレール１１Ａ、１１Ｂがそれぞれ立設されており、このガイドレール１１Ａ、１１Ｂ間においてかご（図示せず）が昇降案内される。一対のかご側ガイドレール１１Ａ、１１Ｂと平行となるようにかご側ガイドレール用ピアノ線１２が昇降路上部の上部型板装置（図示せず）から垂下される。上記かご側ガイドレール１１Ａ、１１Ｂ間に位置する上記かご側緩衝器台１０の上面には水平部両端をボルト１３で固定されたかご側スプリングハンガー１４が設けられている。このスプリングハンガー１４の両端垂直部にはピアノ線連結孔１４ａが形成されており、このピアノ線連結孔１４ａに上記かご側ガイドレール用ピアノ線１２の下端部が張力付加材としてのコイルばね１５を介して連結される。かご側緩衝器台１０の上面には反釣合おもり側に位置するかご側ガイドレール１１Ｂの下端部が支持固定され、機械台２の上面には釣合おもり側に位置するかご側ガイドレール１１Ａの下端部が支持固定されている。さらに、上記昇降路のピット１上面には、床に固定されたアンカーボルト（図示せず）により巻上機台１６が固定されている。この巻上機台１６上に巻上機１７が固定され、この巻上機１７に綱車１８が設けられ、この綱車１８に主索ロープ１９が巻き掛けられている。
上記綱車１８に巻き掛けられて動作する主索ロープ１９には、巻上機台１６を上方向に引き揚げる力（Ｆ１）が作用する。この力（Ｆ１）の一部が機械台２を持ち上げる。一方、機械台２には、一対の釣合おもり側ガイドレール４、５、及び一方のかご側ガイドレール１１Ａの自重、レールクリップ（図示せず）の摩擦力等の下方向への力（Ｆ２）が加わる。この力関係は、Ｆ１≪Ｆ２となり、機械台２は安定する。
このような目的で一体化された機械台２に取り付けられた釣合おもり側スプリングハンガー８へ固定される釣合おもり側ガイドレール用ピアノ線６を基準に、先ず機械台２を設定するものである。
上記機械台２とかご側緩衝器台１０とは、その互いの突き合わせ結合部に凹部２０と凸部２１を設け、これらの凹凸部で突き合わせ結合した後、ボルト２２、２３等の締結具で両者を仮固定するとともに、最終的な位置調整の後、両者を本固定するものである。従って、かご側ガイドレール１１Ａ、１１Ｂの寸法は、かご側ガイドレール用ピアノ線１２で芯出しされるため寸法精度が確保される。このためには、かご側緩衝器台１０を機械台２に対して正確な位置に設定する必要がある。
【０００９】
図２は芯出し据付工法を説明するための斜視図である。図２において、一対の釣合おもり側ガイドレール用ピアノ線６のうち、基準点とする一方のピアノ線を６Ａで示す。また、一対のかご側ガイドレール用ピアノ線１２のそれぞれを１２Ａ、１２Ｂで示す。また、機械台２とかご側緩衝器台１０とを仮固定したり、本固定したりする締結具であるボルトを２２、２３で示す。
昇降路上部の上部型板装置（図示せず）から垂下された釣合いおもり側ガイドレール用ピアノ線６の下端部に錘り（図示せず）を付け、このピアノ線６を乗場側芯出部材（図示せず）の指標に合わせ、釣合おもり側ガイドレール用ピアノ線６の静止位置（通過位置）を記憶させ、次に錘りを外して釣合おもり側スプリングハンガー８のピアノ線連結孔８ａに張力付加材としてのコイルばね９を介して連結する。そして、機械台２とこれと一体の釣合おもり側緩衝器台３を移動調整しながら、釣合おもり側ガイドレール用ピアノ線６を記憶位置に合わせた後、アンカーボルト（図示せず）を用いてピット１上面に機械台２と釣合おもり側緩衝器台３を固定する。続いて、昇降路上部の上部型板装置（図示せず）から垂下されたかご側ガイドレール用ピアノ線１２の下端部に錘り（図示せず）を付け、このピアノ線１２を乗場側芯出部材（図示せず）の指標に合わせ、かご側ガイドレール用ピアノ線１２の静止位置（通過位置）を記憶させ、次に錘りを外してかご側スプリングハンガー１４のピアノ線連結孔１４ａに張力付加材としてのコイルばね１５を介して連結する。そして、かご側緩衝器台１０を移動調整しながら、かご側ガイドレール用ピアノ線１２を記憶位置に合わせた後、機械台２とかご側緩衝器台１０とをボルト２２、２３により仮固定する。このボルト２２、２３により機械台２とかご側緩衝器台１０を本固定する前に、釣合おもり側ガイドレール用ピアノ線６のうち、基準点となる一方のピアノ線６Ａを基準として、次の寸法を測定し、予め用意した寸法表（図示せず）等により寸法確認を行う。
Ｐ１：基準となる一方のピアノ線６Ａと一方のかご側ガイドレール用ピアノ線１２Ａとの間隔
Ｐ２：基準となる一方のピアノ線６Ａと他方のかご側ガイドレール用ピアノ線１２Ｂとの間隔
上記測定寸法Ｐ１、Ｐ２が正しければ、釣合おもり側スプリングハンガー８及びかご側スプリングハンガー１４と、上記測定寸法Ｐ１、Ｐ２は三角形を形成し、正確な位置に設定することができ、ボルト２２、２３により機械台２とかご側緩衝器台１０とを本締め固定する。また、かご側緩衝器台１０をアンカーボルト（図示せず）によりピット１上面に固定する。
【００１０】
以上のようにして、機械台２とかご側緩衝器台１０を正確に据付けることができる。一体化製作された機械台の一部である釣合おもり側ガイドレール用ピアノ線を基準点として、かご側緩衝器台を芯出しするため、釣合おもりガイドレール用ピアノ線を頂点とし、かご側ガイドレール用ピアノ線の間を底辺とする三角形の寸法の二辺を確認するだけでよく、芯出し据付作業の手間が省けると同時に釣合おもり側ガイドレールとかご側ガイドレールとの間隔が精度良く求められる。さらに、事前にユニット化ができるので、現場への搬入、即据付け完了とすることができる。また、巻上機の浮き上がりを防止する荷重の量を容易に確保することができる。
【００１１】
【発明の効果】
この発明は以上説明したように、昇降路ピット上面に固定された機械台と、この機械台と一体化された釣合おもり側緩衝器台と、昇降路ピット上面に固定され機械台に対して位置調整が可能に構成されたかご側緩衝器台と、釣合おもり側緩衝器台上面の両側に立設された一対の釣合おもり側ガイドレールと、機械台上面とかご側緩衝器台上面に立設された一対のかご側ガイドレールと、機械台上面に固定され、釣合おもり側ガイドレール用ピアノ線の下端部を連結する釣合おもり側スプリングハンガーと、機械台上面とかご側緩衝器台上面に跨って固定され、かご側ガイドレール用ピアノ線の下端部を連結するかご側スプリングハンガーとを備えたので、一体化された機械台を有効に利用し、その一部である釣合おもり側ピアノ線を基点にして、かご側緩衝器台を速やかに芯出し調整を行うことができる。
【図面の簡単な説明】
【図１】この発明の実施の形態１におけるエレベータピット部分の芯出し据付装置を示す斜視図である。
【図２】この発明の実施の形態１におけるエレベータピット部分の芯出し据付工法を説明するための斜視図である。
【符号の説明】
１  昇降路のピット
２  機械台
３  釣合おもり側緩衝器台
４、５  釣合おもり側ガイドレール
６、６Ａ  釣合おもり側ガイドレール用ピアノ線
７  ボルト
８  釣合おもり側スプリングハンガー
８ａ  ピアノ線連結孔
９  コイルばね（張力付加材）
１０  かご側緩衝器台
１１Ａ、１１Ｂ  かご側ガイドレール
１２、１２Ａ、１２Ｂ  かご側ガイドレール用ピアノ線
１３  ボルト
１４  かご側スプリングハンガー
１４ａ  ピアノ線連結孔
１５  コイルばね
１６  巻上機台
１７  巻上機
１８  綱車
１９  主索ロープ
２０  凹部
２１  凸部
２２、２３  ボルト
【図１】
2004352410.tif 000003
【図２】
2004352410.tif 000004